(57)【要約】      （修正有）【課題】最良の快適性を提供することができる靴のヒール安定器の構造を提供する。【解決手段】靴のヒール安定器の構造は、おおよそＵ型カップ体１で、カップ底は受止部２で、かかとの圧力を分散させる作用を備え、カップ縁３はかかと周縁を覆って包み、保護と安定の作用を提供し、カップ縁３は複数の中空部３１を備え、全体的な硬度を低下させ、適当な弾性を提供する。同時に、空気はその間を流通し、快適性を増進させる。また、カップ底受止部２の底面に、弧状サポート弾力片４を設置し、これにより、かかとに最適な緩衝吸震構造を提供し、圧力を和らげる。さらに、カップ底には、足中段方向へと延伸して、足中段及び中足骨サポート部５を形成し、カップ底外側には、足中段方向へと延伸して、Ｌ型に類似した外側足弓サポート部６を形成する。【選択図】図１
0003184605.tif 000002
【実用新案登録請求の範囲】
【請求項１】
靴のヒール安定器の構造は、U型カップ体で、
前記カップ底は、受止部で、かかとの圧力を分散させる作用を備え、
前記カップ縁は、かかと周縁を覆って包み、保護と安定の作用を提供し、
前記カップ縁は、複数の中空部を備え、これにより前記カップ縁の全体的な硬度を低下させ、弾性を提供して、快適性を増進し、同時に、空気はその間を流通し、
前記カップ底受止部の底面に、弧状サポート弾力片を設置し、かかとに緩衝吸震構造を提供し、圧力を和らげることができ、
前記カップ底にはさらに、足中段方向へと延伸して、足中段及び中足骨サポート部を形成し、
前記カップ底外側にさらに、足中段方向へと延伸して、外側足弓サポート部を形成することを特徴とする靴のヒール安定器の構造。
【請求項２】
前記カップ縁の任意の中空部の周囲辺縁は、強化リブであることを特徴とする請求項１に記載の靴のヒール安定器の構造。
【請求項３】
前記カップ底に、足中段方向へと延伸して形成する足中段及び中足骨サポート部は、若干の中空部を備え、
これにより、前記足中段及び中足骨サポート部の全体的な硬度を低下させ、弾性を保持することを特徴とする請求項１に記載の靴のヒール安定器の構造。
【考案の詳細な説明】
【技術分野】
【０００１】
本考案は靴に関し、特に靴のヒール安定器の構造に関する。
【背景技術】
【０００２】
靴のヒールが左右に移動すれば、足首は捻挫しやすい。また、ヒールがつぶれて変形すれば、足のかかとは上下に移動してしまう。これらを防止するため、足のかかとが相対する靴のヒール部位には、ヒール安定器(heel counter)と呼ばれる硬質の保護カバーが設置されていることが多い。これにより、靴のヒールを固定し、変形しにくくすることができる。この種のヒール安定器は、動作コントロール靴(motion control shoe)においては、特に重要である。
【０００３】
典型的な靴のヒール安定器の構造は、特許文献１に開示される。特許文献１に開示する安定器は、おおよそU型のカップ体で、カップ底は受止部で、かかとの圧力を分散する(pressure distribution)作用を備える。上が狭く下が広いカップ縁は、かかと周縁を覆って包み、保護と安定の作用を提供する。さらに、カップ底内側(inside)には、足中段(midfoot)方向へと、三角形に類似の内側足弓(medial longitudinal arch)サポートセクションを延伸して形成する。
【０００４】
しかし、上記した靴のヒール安定器において、上が狭く下が広いカップ縁の材質は、一体成型の硬質プラスチックであるため、保護作用を備えていても、密に詰まっており空間がないため、かかと付近の空気の流通の障害となっている。さらに、密に詰まったプラスチックは、着用者の快適性を低下させてしまう。
【０００５】
加えて、上記した靴のヒール安定器のカップ底受止部の底面は、靴最下層底と平面に直接対応して接着するため、足のかかとに対する緩衝吸震作用がなく、圧力を緩和することができない。さらに、上記した靴のヒール安定器は、内側脚弓を保護するサポートセクションを延伸して備えるが、外側足弓と中足骨に対しては、適当な保護構造を備えない。
【先行技術文献】
【特許文献】
【０００６】
【特許文献１】米国特許第4821430号
【考案の概要】
【考案が解決しようとする課題】
【０００７】
本考案が解決しようとする課題は、おおよそU型カップ体で、カップ縁に複数の中空部を備え、カップ縁の全体的な硬度を低下させ、適当な弾性を提供して、快適性を増進し、同時に空気はその間を流通する靴のヒール安定器の構造を提供することである。
【課題を解決するための手段】
【０００８】
上記課題を解決するため、本考案は下記の靴のヒール安定器の構造を提供する。
靴のヒール安定器の構造は、おおよそU型カップ体で、
該カップ底受止部の底面には、弧状サポート弾力片を設置し、かかとに最適な緩衝吸震構造を提供し、圧力を和らげることができ、
該カップ底にはさらに、足中段方向へと延伸して、足中段及び中足骨サポート部を形成し、
該カップ底外側(outside)にはさらに、L型に類似の外側足弓(lateral longitudinal arch)サポート部を形成する。
【考案の効果】
【０００９】
本考案の靴のヒール安定器の構造は、カップ縁に複数の中空部を備えることで、カップ縁の全体的な硬度を低下させて適当な弾性を提供し、快適性を増進し、同時に空気はその間を流通する。
【図面の簡単な説明】
【００１０】
【図１】本考案の外観図である。
【考案を実施するための形態】
【００１１】
図１に示すように、本考案は従来の靴のヒール安定器と同様、おおよそU型カップ体１である。カップ底は、受止部２で、かかとの圧力を分散させる作用を備える。上が狭く下が広いカップ縁３は、かかと周縁を覆って包み、保護と安定の作用を提供することができる。
【００１２】
本考案は、従来の靴のヒール安定器の設計とは異なり、カップ縁３は、複数の中空部３１を備える。これにより、全体的な硬度を低下させ、適当な弾性を提供して、快適性を増進する。
同時に、空気はその間を流通することができる。
【００１３】
本考案は、従来の靴のヒール安定器の設計とは異なり、カップ底受止部２の底面に、弧状サポート弾力片４を設置する。これにより、かかとに最適な緩衝吸震構造を提供し、圧力を和らげることができる。
【００１４】
本考案は、従来の靴のヒール安定器の設計とは異なり、カップ底にさらに、足中段方向へと延伸して、足中段及び中足骨サポート部５を形成する。
【００１５】
本考案は、従来の靴のヒール安定器の設計とは異なり、カップ底外側にさらに、足中段方向へと延伸して、L型に類似した外側足弓サポート部６を形成する。
【００１６】
カップ縁３の任意の中空部３１周囲の辺縁は、強化リブ３２である。
【００１７】
カップ底に、足中段方向へと延伸して形成する足中段及び中足骨サポート部５は、若干の中空部５１を備える。これにより、足中段及び中足骨サポート部５の全体的な硬度を低下させ、適当な弾性を保持させ、こうして最良の快適性を提供することができる。
【００１８】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００１９】
１  U型カップ体
２  カップ底受止部
３  カップ縁
３１  中空部
３２  強化リブ
４  弧状サポート弾力片
５  足中段及び中足骨サポート部
５１  中空部
６  外側足弓サポート部
【図１】
0003184605.tif 000003